(57)【特許請求の範囲】
【請求項１】
点灯回路を含む殺菌ランプと、一般照明用ランプと、２つの出力端子を有しその一方に殺菌ランプ、その他方に一般照明用ランプとを接続し制御信号に基づきこれら出力端子と電源との接続関係を決定する切換え装置部と、人体の存在を検知したとき検知信号を出力する人体検知センサと、人体検知センサの検知信号により切換え装置部に制御信号を出力する制御部と、を有する照明装置において、
前記制御部は、人体検知センサから検知信号が出力されたとき制御信号及び第２の制御信号を切換え装置部に出力し、前記検知信号が出力されなくなってから所定時間経過後に前記制御信号の出力を停止し、前記制御信号が出力されなくなってから所定時間経過後に前記第２の制御信号の出力を停止するものであり、
前記切換え装置部は、殺菌ランプを接続する出力端子と一般照明用ランプに接続する出力端子と入力端子と前記制御信号を入力する操作回路とを有する第１のリレーと、第１のリレーの入力端子に接続する出力端子と電源に接続する入力端子と前記第２の制御信号を入力する操作回路とを有する第２のリレーとを備え、前記制御信号が第１のリレーの操作回路に入力されるとともに前記第２の制御信号が第２のリレーの操作回路に入力されているときには一般照明用ランプを接続した出力端子を第１及び第２のリレーを介して電源に接続し、前記制御信号が第１のリレーの操作回路に入力されずに前記第２の制御信号が第２のリレーの操作回路に入力されているときには殺菌ランプを接続した出力端子を第１及び第２のリレーを介して電源に接続するものであることを特徴とする照明装置。
【請求項２】
前記一般照明用ランプは、点灯回路により点灯するものであり、かつ、殺菌ランプとランプ定格が同等であり、両ランプに共用される単一の点灯回路を切換え装置部の電源側に接続してなる請求項１記載の照明装置。
【請求項３】
前記切換え装置部の出力端子と殺菌ランプ又は一般照明用ランプとがそれぞれ接続されてなる電路に、商用電源により動作する負荷を接続する接続部を設け、前記負荷は、換気扇、赤外線ヒータ、扇風機の何れかであることを特徴とする請求項１又は２に記載の照明装置。
【請求項４】
前記照明装置を収納する箱体において、一般照明用ランプと殺菌ランプを鉛直線方向にそれぞれ配設し、該鉛直線方向に存在する箱体の一部に開口部を設けることを特徴とする請求項１乃至３の何れかに記載の照明装置。
【発明の詳細な説明】
【０００１】
【発明の属する技術分野】
本発明は、照明装置、特に紫外線を放射する殺菌ランプを有する照明装置に関する。
【０００２】
【従来の技術】
この種の照明装置として、実開平２−９６１４３に開示されるもの、すなわち、殺菌ランプと、その点灯装置と、人体検知センサと、人体検知センサの人体検知信号により殺菌ランプ等の電路を開閉するリレーとで構成し、浴室内に設置されるものが知られている。このものは、人体検知センサの人体検知信号がリレーの操作回路に入力されない場合には、リレーが閉成することにより点灯装置へ給電を行って殺菌ランプを点灯させる。一方、人体検知信号がリレーの操作回路に入力される場合には、リレーが開成することにより点灯装置への給電を停止して殺菌ランプを消灯させる。
【０００３】
【発明が解決しようとする課題】
ところで、人体検知センサは、その検知範囲内において、人体から放出されて人体検知センサに入射する赤外線の変化がある一定量を超えたときに人体検知信号を出力して人体の存在を検知するのが一般的である。このような人体検知センサにあっては、人体がその検知範囲に存在しても、動きがない場合には、赤外線の変化がある一定量を超えなくなるため、人体が検知範囲に存在しないと判断されることとなる。したがって、前述の従来例のものは、この点に関して必ずしも明確ではないが、人体が検知範囲に存在していても存在しないと判断され、そして殺菌灯が点灯するという可能性があることが懸念される。
【０００４】
本発明は、かかる事由に鑑みてなしたもので、人体が人体検知センサの検知範囲内に存在しているときに殺菌ランプが点灯する可能性を大幅に低減する照明装置を提供するものである。
【０００５】
【課題を解決するための手段】
請求項１に係る発明は、点灯回路を含む殺菌ランプと、一般照明用ランプと、２つの出力端子を有してそれぞれに殺菌ランプと一般照明用ランプとを接続し制御信号に基づきこれら出力端子と電源との接続関係を決定する切換え装置部と、人体の存在を検知したとき検知信号を出力する人体検知センサと、人体検知センサの検知信号により切換え装置部に制御信号を出力する制御部と、を有する照明装置において、前記制御部は、人体検知センサから検知信号が出力されたとき制御信号及び第２の制御信号を切換え装置部に出力し、前記検知信号が出力されなくなってから所定時間経過後に前記制御信号の出力を停止し、前記制御信号が出力されなくなってから所定時間経過後に前記第２の制御信号の出力を停止するものであり、前記切換え装置部は、殺菌ランプを接続する出力端子と一般照明用ランプに接続する出力端子と入力端子と前記制御信号を入力する操作回路とを有する第１のリレーと、第１のリレーの入力端子に接続する出力端子と電源に接続する入力端子と前記第２の制御信号を入力する操作回路とを有する第２のリレーとを備え、前記制御信号が第１のリレーの操作回路に入力されるとともに前記第２の制御信号が第２のリレーの操作回路に入力されているときには一般照明用ランプを接続した出力端子を第１及び第２のリレーを介して電源に接続し、前記制御信号が第１のリレーの操作回路に入力されずに前記第２の制御信号が第２のリレーの操作回路に入力されているときには殺菌ランプを接続した出力端子を第１及び第２のリレーを介して電源に接続するものであることを特徴とする。
【０００８】
請求項２に係る発明は、請求項１記載の照明装置において、前記一般照明用ランプは、点灯回路により点灯するものであり、かつ、殺菌ランプとランプ定格が同等であり、両ランプに共用される単一の点灯回路を切換え装置部の電源側に接続してなることを特徴とする。
【０００９】
請求項３に係る発明は、請求項１又は２に記載の照明装置において、前記切換え装置部の出力端子と殺菌ランプ又は一般照明用ランプとがそれぞれ接続されてなる電路に、商用電源により動作する負荷を接続する接続部を設け、前記負荷は、換気扇、赤外線ヒータ、扇風機の何れかであることを特徴とする。
【００１０】
請求項４に係る発明は、請求項１乃至３の何れかに記載の照明装置に用いる前記照明装置を収納する箱体において、一般照明用ランプと殺菌ランプを鉛直線方向にそれぞれ配設し、該鉛直線方向に存在する箱体の一部に開口部を設けることことを特徴とする。
【００１１】
【発明の実施の形態】
（第１の実施形態）
図１は第１の実施形態のブロック図である。
【００１２】
１は殺菌ランプであり、例えば、バルブ内に低圧水銀が封入されていて低圧水銀蒸気放電を利用するものであり、主に波長２５４nmの紫外線を放出する。この殺菌ランプ１は、インダクタ等によって構成される点灯回路４によって点灯される。２は一般照明用ランプであり、例えば、フィラメントの温度放射を利用した白熱ランプ２である。３は切換え装置部であり、２つの出力端子を有しその一方に殺菌ランプ、その他方に一般照明用ランプとを接続し制御信号に基づきこれら出力端子と電源との接続関係を決定する切換えるものである。具体的には、２個の出力端子と１個の入力端子と入力端子に接続されてなる可動接点を有し操作回路に制御信号が入力されて可動接点が動作する第１のリレー３ａと、１個の出力及び入力端子と入力端子に接続されてなる可動接点を有し操作回路に前記第２の制御信号が入力されて可動接点が動作する第２のリレー３ｂを有し、第２のリレー３ｂの出力端子と第１のリレー３ａの入力端子を接続してなる。７は人体検知センサであって、たとえば、前述のように検知範囲内で、人体から放出されて人体検知センサに入射する波長約１０μm赤外線の変化が、ある一定量を超えることにより、人体を検知するものである。５は制御部であって、人体検知センサから検知信号が出力されたとき制御信号を出力し、検知信号が出力されなくなってから所定の時間経過後まで制御信号を出力するものである
ここで、殺菌ランプ１及び点灯回路４は第１のリレー３ａの一方の出力端子に接続され、白熱ランプ２は第１のリレーの他方の出力端子に接続される。第１のリレー３ａの入力端子は、第２のリレーの出力端子に接続される。そして、第２のリレー３ｂの入力端子は電源に接続される。そして、人体検知センサ７は、制御部５に接続されている。さらに、制御部５は２つの出力端子を有し、一方の出力端子は第１のリレー３ａの操作回路に接続され、他方の出力端子は第２のリレー３ｂの操作回路に接続される。
ここで、第１のリレー３ａにおいてその操作回路に制御部５から制御信号が出力された場合には、第１のリレー３ａの可動接点は白熱ランプ２を接続した出力端子に閉成する。一方、制御信号が出力されない場合には、第１のリレー３ａの可動接点は殺菌ランプ１を接続した出力端子に閉成する。また、第２のリレー３ｂにおいては第２のリレー３ｂの操作回路に第２の制御信号が出力された場合に、第２のリレー３ｂの可動接点は出力端子に閉成する。
【００１３】
つぎに、第１の実施形態の動作について説明する。図２は第１の実施形態の動作説明のためのフローチャートである。本ブロックに電源が投入された初期状態においては、人体検知センサからの出力信号は無く、制御部から第２のリレー３ｂの操作回路への制御信号は出力されていないので、第２のリレー３ｂの可動接点は開成しており、白熱ランプ２及び殺菌ランプ１は消灯している。つぎに、人体検知センサからの検知信号が出力されない場合は、制御部５から第２のリレー３ｂの操作回路に第２の制御信号が出力されないので第２のリレー３ｂの可動接点は開成しており、白熱ランプ２及び殺菌ランプ１は消灯を維持する。一方、人体検知センサ７から検知信号が出力される場合は、制御部５から第１のリレー３ａの操作回路に制御信号が出力されて、白熱ランプ２が接続される出力端子に可動接点が閉成され、同時に第２のリレー３ｂの操作回路に第２の制御信号が出力されて第２のリレー３ｂの可動接点が閉成し、白熱ランプ２が点灯する。白熱ランプ２が点灯した後、人体検知センサ７からの検知信号が出力される場合には、制御部５から第１のリレー３ａの操作回路に出力信号が出力されて白熱ランプ２が接続される出力端子に可動接点が閉成され、同時に第２のリレー３ｂの操作回路に第２の制御信号が出力され可動接点が閉成を継続するので白熱ランプ２の点灯が継続する。一方、人体検知センサ７からの検知信号は出力されない場合には、制御部５において所定の時間として設定した設定時間Ｔ１の間、制御信号を第１のリレー３ａの操作回路に制御信号が出力されて白熱ランプ２が接続される出力端子に可動接点が閉成され、第２の制御信号を第２のリレー３ｂの操作回路に出力し第２のリレー３ｂの可動接点が閉成するので設定時間Ｔ１の間白熱ランプ２の点灯を維持する。設定時間Ｔ１の間、白熱ランプ２の点灯を維持した後、制御部５は第１のリレー３ａ操作回路への制御信号を停止する。これにより、第１のリレー３ａの可動接点は殺菌ランプ１が接続される出力端子に接続されるよう切り換わることにより、白熱ランプ２が消灯し、その直後に殺菌ランプ１が点灯する。そして、人体検知センサ７からの検知信号が出力された場合には、制御部から第１のリレー３ａの操作回路に制御信号が出力されて、第１のリレー３ａの可動接点は白熱ランプ２が接続される出力端子に接続されるよう切り換わるので、白熱ランプ２が点灯し、殺菌ランプ１が消灯する。一方、人体検知センサ７からの検知信号がない場合には、制御部５から制御信号は発生しないので殺菌ランプ１は点灯を維持する。そして、制御部５で設定した設定時間Ｔ２まで殺菌ランプ１の点灯時間をカウントし、設定時間がＴ２に至った場合には、制御部から第２のリレー３ｂの操作回路への出力信号を停止する。これにより第２のリレー３ｂの可動接点は開成し、殺菌ランプ１は消灯する。また、殺菌ランプ１が点灯中において、人体検知センサ７からの検知信号が出力された場合には、制御部５からから第１のリレー３ａに制御信号が出力され、第１のリレー３ａの可動接点が白熱ランプ２が接続される出力端子に接続されるよう切り換わるので、白熱ランプ２は点灯し、殺菌ランプ１は消灯する。
【００１４】
なお、上記の設定時間Ｔ１は、トイレに本装置を使用した場合を想定し、白熱ランプ２が点灯後、人体の動きが無く人体検知センサが検知信号を出力しない時に、人体が人体検知センサ７の検知範囲に存在している状態で殺菌ランプが点灯しないよう１分程度に設定した。そして、設定時間Ｔ２は、大腸菌の殺菌が可能となる殺菌量90μW・min/cm2以上の殺菌線量が得られるようにするよう、ランプ定格６Ｗの殺菌ランプ１を用いて５分以上とした。
【００１５】
このように、本実施形態では、人体からの赤外線の変化量が小さいことにより、人体が存在するにも関わらず、人体検知センサ７からの検知信号が出力されない場合においても、設定時間Ｔ１の間殺菌ランプ１が点灯しない。また、殺菌灯が点灯している状態で人体検知信号を検知した場合には、ただちに殺菌灯を消灯するようにしているので、人体が検知範囲に存在している時に殺菌ランプ１が点灯する可能性を低減することができる。
（第２の実施形態）
図３は、第２の実施形態の第１のブロック図である。また、図４は第２の実施形態の第２のブロック図である。実施形態１では、一般照明用ランプとして白熱ランプ２を採用したが、白熱ランプはたとえば効率の面等では蛍光ランプに及ばない。そこで、本実施形態では、一般照明用ランプとして蛍光ランプ８を採用した。蛍光ランプ８は低圧放電を利用したものであるので、殺菌ランプ１と同様に点灯回路４ｂが必要になる。したがって、一般照明用ランプとして蛍光ランプ８を採用した場合には、図３に示すように点灯回路４及び点灯回路４ｂの２つの点灯回路が必要になる。
【００１６】
ここで、前記一般照明用ランプとして殺菌ランプ１と同定格の蛍光ランプ８を用い、図４に示すように、点灯回路４を第１のリレー３ａの入力端子と第２のリレー３ｂの出力端子に接続した。ここで、人体検知センサ７が検知信号を出力すると、制御部５が第１のリレー３ａに制御信号を出力し、第２のリレー３ｂに第２の制御信号を出力するので、第１のリレー３ａの可動接点は蛍光ランプ８が接続される出力端子に切換わり、第２のリレー３ｂの可動接点は閉成して、点灯回路４が電源に接続されるので蛍光ランプ８は点灯する。また、蛍光ランプ８が点灯した後、人体検知センサ７が検知信号を出力しなくなると、所定の時間経過後、制御部５は第１のリレー３ａへの制御信号を停止し、第１のリレー３ａの可動接点は殺菌ランプ１が接続される出力端子に切換わるので、蛍光ランプ８は消灯し、殺菌ランプ１は点灯回路４に接続されて点灯する。
【００１７】
このように、一般照明ランプとして殺菌ランプとランプ特性がほぼ等しい蛍光ランプを用いて、図４のような構成にすると、図３に示した場合に比べ、両ランプに共用される単一の点灯回路を１つ用いればよくなり、部品点数の削減が可能となるのである。
（第３の実施形態）
図５は、第３の実施形態のブロック図である。また、図６は第３の実施形態の動作説明のためのフローチャートである。
【００１８】
本実施形態の基本的な構成は、第１の実施形態と同じであるが、商用電源により動作する負荷を接続する接続部である端子台２１と、制御部５から操作回路に第３の制御信号が出力されて可動接点が閉成する第３のリレー２２と、他商用電源により動作する負荷として換気扇２３を新たな構成要素として付加している。ここで、端子台２１は第１のリレー３ａの出力端子に接続されてなる電路の一部に接続される。端子台２１は、第１のリレー３ａに接続される電路を分岐し、換気扇２３と第３のリレー２２に接続される。そして、第３のリレー２２は、白熱ランプ２に接続される。なお、第１のリレー３ａ及び第２のリレー３ｂについては、実施形態１と同じである。
【００１９】
つぎに、上記の回路ブロックの構成要素の動作について図６のフローチャートに基づいて説明する。本ブロックに電源が投入された初期状態においては、人体検知センサ７からの出力信号は無く、制御部５から第２のリレー３ｂの操作回路への制御信号は出力されていないので、第２のリレー３ｂの可動接点は開成しており、白熱ランプ２及び殺菌ランプ１は消灯、換気扇２３は停止している。つぎに、人体検知センサ７からの検知信号が出力されない場合には、制御部５から第２のリレー３ｂの操作回路への制御信号は出力されていないので、第２のリレー３ｂの可動接点は開成しており白熱ランプ２及び殺菌ランプ１は消灯、換気扇２３は停止を維持する。一方、人体検知センサ７からの検知信号が出力された場合には、制御部５から第１のリレー３ａの操作回路に制御信号が出力されて換気扇２３が接続される出力端子に可動接点が閉成され、第２のリレー３ｂの操作回路に第２の制御信号が出力されて可動接点が閉成し、同時に第３のリレー２２の操作回路にも第３の制御信号が出力されて可動接点が閉成するため、白熱ランプ２が点灯し、換気扇２３が動作する。白熱ランプ２が点灯、換気扇２３が動作した後、人体検知センサ７からの検知信号が出力された場合には、制御部５から第１のリレー３ａの操作回路に出力信号が出力され、同時に第２のリレー３ｂの操作回路に第２の制御信号が出力され、同時に第３のリレー２２の操作回路にも第３の制御信号が出力されるため、白熱ランプ２は点灯、換気扇２３は動作を維持する。一方、人体検知センサ７からの検知信号は出力されない場合には、制御部５が設定した設定時間Ｔ１の間、制御部５から第１のリレー３ａの操作回路に制御信号が出力されて換気扇２３が接続される出力端子に可動接点が閉成され、第２のリレー３ｂの操作回路に第２の制御信号が出力されて可動接点が閉成し、同時に第３のリレー２２の操作回路にも第３の制御信号が出力されて可動接点が閉成するため、白熱ランプ２は点灯、換気扇２３は動作を継続する。設定時間Ｔ１の間、白熱ランプ２の点灯、換気扇２３の動作を維持した後、制御部５による第３のリレー２２の操作回路への第３の制御信号が停止するため、第３のリレー２２の可動接点は開成し、白熱ランプ２は消灯する。その後、制御部５は設定時間Ｔ３の間、第２の制御信号を第１のリレー３ａの操作回路に出力した後、出力を停止する。これにより、第１のリレー３ａの可動接点は殺菌ランプ１が接続される出力端子に接続されるよう切り換わり、白熱ランプ２が消灯し、続いて殺菌ランプ１が点灯する。ここで、設定時間Ｔ３は約５分程度に設定した。そしてその後、人体検知センサ７からの検知信号が出力された場合には、制御部５から第１のリレー３ａの操作回路に制御信号が出力され、可動接点が白熱ランプ２が接続される出力端子に接続されるよう切り換わるので、殺菌ランプ１が消灯し、換気扇２３が動作する。そして、第３のリレー２２の操作回路にも第３の制御信号が出力されて可動接点が閉成するため、白熱ランプ２が点灯する。一方、人体検知センサ７からの検知信号が無い場合には、制御部５から制御信号は発生しないので第１のリレー３ａの可動接点は殺菌ランプ１が接続される出力端子に閉成しているので殺菌ランプ１は点灯を維持する。そして、制御部５が設定した設定時間Ｔ２まで殺菌ランプ１の点灯時間をカウントし、設定時間がＴ２に至った場合には、制御部５は第２のリレー３ｂの操作回路への出力信号を停止する。これにより第２のリレー３ｂの可動接点は開成し、殺菌ランプ１は消灯する。なお、殺菌ランプ１が点灯中において、人体検知センサ７が人体を検知した場合には、制御部５からから第１のリレー３ａに制御信号が出力され、また第３のリレー２２の操作回路にも第３の制御信号が出力されるので、可動接点が白熱ランプ２が接続される出力端子に接続されるよう切り換わり、第３のリレー２２の操作回路にも第３の制御信号が出力されて可動接点が閉成するため、白熱ランプ２が点灯、換気扇２３が動作し、殺菌ランプ１が消灯する
以上のように第１のリレー３ａの出力端子に端子台２１を設けることにより、換気扇２３等の負荷を接続することができ、白熱ランプ２と同期又は本実施の形態のように部分的に同期させることが比較的容易にできるのである。
なお、本実施例においては換気扇２３を端子台２１に接続したが、赤外線ヒータ若しくは扇風機等の負荷を端子台２１に接続してもよい。また、本実施例においては、端子台２１を白熱ランプ２が接続される電路に設けたが、殺菌ランプ１が接続されている電路に端子台２１を接続してもよい。
（第４の実施形態）
図７は第４の実施形態の箱体を切断した状態の側面図である。図７は第４の実施形態の箱体を切断した状態の正面図である。
【００２０】
３２は、器具本体であって、たとえば鉄、アルミ等の金属板をL字型に折り込むことによって成形する。３２aは器具本体３２の水平面の一部に設けた開口部である。３３はカバーであって、透明又は乳白色の樹脂材料を用い、器具本体を包囲する形状に成形している。この器具本体３２とカバー３３とによって、本照明装置を収納する箱体３４は形成される。３３ａはカバーの水平面の一部に設けた開口部である。ここで、白熱ランプ２は鉛直線方向の上方部に、殺菌ランプ１は鉛直線方向の下方部にそれぞれ配設する。そして開口部３２ａ、３２ｂは、前述の鉛直線方向に設ける。
【００２１】
このような器具を用いた場合、前述の動作において、白熱ランプ２を一定時間点灯させると、白熱ランプ２のバルブは高温になる。器具本体３２とカバー３３は、前述のように開口部３２ａ及び開口部３３ａを有するので、白熱ランプ２の熱によって開口部３２ａ、３３ａを介して空気の流れが発生する。人体検知センサ７の信号により白熱ランプ２が消灯状態になり、殺菌ランプ１が点灯しても一定時間白熱ランプ２のバルブは余熱が発生しているので、殺菌ランプ１のバルブ近傍での空気の流れは継続し、空気中の細菌の殺菌を効率良く良く行うことができる。
【００２２】
なお、本実施形態では、白熱ランプ２を鉛直線方向の上部に、殺菌ランプ１を鉛直線方向の下部にそれぞれ配設したが、殺菌ランプ１を鉛直線方向の上部に、白熱ランプ２を鉛直線方向の下部にそれぞれ配設しても空気中の細菌の殺菌については同様の効果が得られる。しかし、殺菌ランプ１から放射された紫外線は、下部の白熱ランプ２によって反射するので、下面方向の設備等の表面を殺菌したい場合には、白熱ランプ２を鉛直線上の上方向に、殺菌ランプ１を鉛直線上の下方向それぞれ配設した方が望ましい。
【００２３】
なお、以上の実施形態において、切換え装置部にはリレーを用いたが、制御部からの制御信号を受けて動作するトランジスタ等のスイッチング素子を用いてもよい。また、第１の実施形態では、２つのリレーを用いて、殺菌ランプが一定時間点灯した後に、白熱灯及び殺菌ランプの両方を消灯するようにしたが、リレーを一つのみ用いて、人体検知センサの検知信号が出力されない場合は、常時殺菌ランプを点灯させるようにしてもよい。
【００２４】
【発明の効果】
請求項１に係る発明は、人体検知センサの出力信号に応じて、殺菌ランプ及び一般照明灯の両方を消灯することができ、各リレーの可動接点を制御することにより、人体検知センサが人体が存在しないと判断した場合においても一定時間殺菌ランプが点灯しないので、人体が人体検知センサの検知範囲内に存在しているときに殺菌ランプが点灯する可能性を大幅に低減することが可能となる。
【００２６】
請求項２に係る発明は、請求項１記載の発明の効果に加え、部品点数を削減することができる。
【００２７】
請求項３に係る発明は、請求項１又は２記載の発明の効果に加え、殺菌ランプ又は一般照明用ランプ以外の負荷を殺菌ランプ又は一般照明用ランプと同期をとって運転することができる。
【００２８】
請求項４に係る発明は、請求項１乃至３の何れかに記載の発明の効果に加え、器具本体内部において空気対流の効果を増大させ、空気中に存在する細菌の殺菌の効率を向上させることができる。
【図面の簡単な説明】
【図１】第１の実施形態のブロック図である。
【図２】第１の実施形態の動作説明のためのフローチャートである。
【図３】第２の実施形態の第１のブロック図である。
【図４】第２の実施形態の第２のブロック図である。
【図５】第３の実施形態のブロック図である。
【図６】第３の実施形態の動作説明のためのフローチャートである。
【図７】第４の実施形態の箱体を切断した状態の側面図である。
【図８】第４の実施形態の箱体を切断した状態の前面図である。
【符号の説明】
１      殺菌ランプ
２      一般照明用ランプ（白熱ランプ）
３      切換え装置部
４      点灯回路
５      制御部
７      人体検知センサ
【図１】
0004082094.tif 000002
【図２】
0004082094.tif 000003
【図３】
0004082094.tif 000004
【図４】
0004082094.tif 000005
【図５】
0004082094.tif 000006
【図６】
0004082094.tif 000007
【図７】
0004082094.tif 000008
【図８】
0004082094.tif 000009